(57)【要約】【課題】非接触式のＩＣカード読取り書込み装置において、ＩＣカードをかざす位置や角度の自由度を高めることで、利用者の使いやすさを向上させる。【解決手段】ＩＣカード読取り書込み装置は、略平面状に配置されたアンテナ７を有する本体１と、この本体１を支持する支持体５とを備えている。この装置は、本体１のアンテナ７に対してＩＣカードを略平行にかざすことで、アンテナ７を介してＩＣカードに対するデータの送受信を行うように構成されている。支持体５における腕部５０の先端５０ａ側に、本体１が回動可能に取り付けられている。その回動軸線は水平であり、回動範囲は、アンテナ７（本体１）が略水平になる位置と略垂直になる位置との間の約９０度の範囲である。【選択図】図１
2006314122.tif 000002
【特許請求の範囲】
【請求項１】
ＩＣカードに対してデータの送受信を行うためのアンテナを有する本体と、
この本体を支持する支持体と
を備え、
前記本体は、前記支持体に対して回動可能に取り付けられている、ことを特徴とするＩＣカード読取り書込み装置。
【請求項２】
前記アンテナは、前記本体内に略平面状に配置されており、
前記本体は、前記アンテナが略水平になる位置と略垂直になる位置との間で回動可能である、ことを特徴とする請求項１記載のＩＣカード読取り書込み装置。
【発明の詳細な説明】
【技術分野】
【０００１】
本発明は、略平面状に配置されたアンテナに対してＩＣカードをかざすことで、ＩＣカードに対するデータの送受信を行うように構成された非接触式のＩＣカード読取り書込み装置に関する。
【背景技術】
【０００２】
近年、キャッシュレス化の進展や電子マネーの普及に伴い、金融、流通等の様々な分野でＩＣカードを利用したサービスやシステムが提案されている。特に最近は、メンテナンス性や使いやすさ等の観点から非接触式のＩＣカードが注目されている。そして、駅の自動券売機、飲料等の自動販売機、店舗の決済装置といったものにも、非接触式のＩＣカードを利用できるものが提案されている。
【０００３】
そのようなＩＣカードを利用する場合、一般に、略平面状に配置されたアンテナに対してＩＣカードを略平行に保持した状態で、ＩＣカードに対するデータの送受信を行うように構成された、非接触式のＩＣカード読取り書込み装置が用いられる。
【０００４】
例えば、特開２０００−１３２６４５号公報に開示された装置は、ＩＣカードを筐体内に垂直に挿入した状態で、アンテナを介したデータの送受信を行うように構成されている。また、特開平６−１７６２５１号公報に開示された装置は、自動販売機の機体正面側に向けて固定されたアンテナを備え、このアンテナの部分にＩＣカードをかざした状態でデータの送受信を行うように構成されている。
【発明の開示】
【発明が解決しようとする課題】
【０００５】
上述したような従来のＩＣカード読取り書込み装置には、以下のような問題点がある。
【０００６】
すなわち、前者の装置では、アンテナに対するＩＣカードの位置が固定されるので、データの送受信は安定するが、非接触式の利点である「カードをかざすだけで処理できる」という手軽さが失われる。また、ＩＣカードが利用者の手から放れることで、盗難等のおそれが生ずる。さらに、カード挿入部分に塵埃が溜まりやすいため、清掃等のメンテナンスが煩雑になる。
【０００７】
後者の装置では、そのような問題はないが、アンテナが自動販売機の機体正面側に向けて固定されているので、利用者の身長によっては、アンテナの高さが高すぎたり低すぎたりして、ＩＣカードをかざしにくくなることが考えられる。また、垂直面である自動販売機の機体正面に対してＩＣカードを略平行にかざさなければならないので、利用者にとって必ずしも使いやすいものではない。
【０００８】
本発明は、このような点を考慮してなされたものであり、非接触式のＩＣカード読取り書込み装置において、ＩＣカードをかざす位置や角度の自由度を高めることで、利用者の使いやすさを向上させることを目的とする。
【課題を解決するための手段】
【０００９】
第１の発明は、ＩＣカードに対してデータの送受信を行うためのアンテナを有する本体と、この本体を支持する支持体とを備え、前記本体は、前記支持体に対して回動可能に取り付けられている、ことを特徴とするＩＣカード読取り書込み装置である。
【００１０】
この第１の発明においては、本体のアンテナに対してＩＣカードをかざすことでＩＣカードに対するデータの送受信が行われる。その際、アンテナを有する本体を支持体に対して回動させることで、ＩＣカードをかざす位置や角度の自由度を高めることができる。
【００１１】
第２の発明は、第１の発明において、前記アンテナは、前記本体内に略平面状に配置されており、前記本体は、前記アンテナが略水平になる位置と略垂直になる位置との間で回動可能となっているものである。
【００１２】
この第２の発明においては、ＩＣカードに対するデータの送受信を行う際、略平面状に配置されたアンテナに対してＩＣカードを略平行にかざすことが望ましいが、その場合もＩＣカードをかざす角度が略水平から垂直までの範囲で変化しても対応可能である。
【発明の効果】
【００１３】
本発明によれば、本体のアンテナに対してＩＣカードをかざすことでＩＣカードに対するデータの送受信が行われるが、その際、アンテナを有する本体を支持体に対して回動させることで、ＩＣカードをかざす位置や角度の自由度を高めることができる。このため、ＩＣカード利用者による読取り書込み装置の使いやすさを著しく向上させることができる。
【発明を実施するための最良の形態】
【００１４】
次に、図面を参照して本発明の一実施形態について説明する。図１乃至図５は本発明によるＩＣカード読取り書込み装置の実施の形態を示す図である。
【００１５】
［構  成］
図１及び図２に示すＩＣカード読取り書込み装置は、略平面状に配置されたアンテナ７を有する本体１と、この本体１を支持する支持体５とを備えている。この装置は、本体１のアンテナ７に対してＩＣカードを略平行にかざすことで、アンテナ７を介してＩＣカードに対するデータの送受信を行うように構成されている。
【００１６】
上記支持体５は、腕部５０と底板部５２とを有している。この支持体５における腕部５０の先端５０ａ側に、本体１が回動可能に取り付けられている。その回動軸線は水平であり、回動範囲は、アンテナ７（本体１）が略水平になる位置（図２）と略垂直になる位置（図３）との間の約９０度の範囲である。
【００１７】
また、底板部５２は、腕部５０の基端５０ｂ側に取り付けられている。そして腕部５０は、底板部５２の延長方向（図２の左方）に向かってやや傾斜しつつ、底板部５２から上方に延びている。これにより、支持体５によって本体１を、その回動位置に関わらず安定して支持できるようになっている。
【００１８】
図１及び図２に示すように、本体１は、薄い直方体状の筐体２を有している。
この筐体２内には、図２に示すように、上記アンテナ７およびこれと一体の回路基板８と、カードデータ等を表示するための表示部３とが設けられている（図２）。また、図１に示すように、筐体２の正面（図１では上方を向いている）には、アンテナ７に対応した矩形の読取り書込み部４が、ＩＣカードをかざす際の目印として形成されている。また、筐体２の正面側から上記表示部３の表示面を目視できるようになっている。
【００１９】
次に、図２および図４に示すように、本体１には、筐体２の裏面中央から突出する連結部２０が設けられている。この連結部２０は、本体１の回動軸線に対応した一対の円筒形軸部２０ａを有している。また、図４に示すように、支持体５における腕部５０の先端５０ａ内には、本体１側の連結部２０と連結される、支持体５側の連結部５５が設けられている。この連結部５０は、本体１側の連結部２０における軸部２０ａを回動自在に受け入れる一対の円筒形軸受部５５ａを有している。
【００２０】
ここで、図２に示すように、支持体５の腕部５０内には、インターフェイス回路を構成する回路基板９が設けられている。この回路基板９は、導線Ｗを介して本体１内の回路基板８と接続されている。この場合、図２および図４に示すように、一対の導線Ｗが、支持体５の腕部５０内から、軸部２０ａ内を貫通して、本体１内へ通じている。これにより、本体１の回動に対して導線Ｗの干渉がないように構成されている。
【００２１】
また、図２に示すように、腕部５０の基端５０ｂ側において、回路基板９に接続ラインＬが連結されている。この接続ラインＬは、例えばカード決済端末やＰＯＳレジスター等の外部機器との間で制御信号やデータのやりとりを行うためのものである。
【００２２】
図５には、このＩＣカード読取り書込み装置におけるアンテナ７とＩＣカードとの関係が模式的に示されている。すなわち、このＩＣカード読取り書込み装置は、アンテナ７に対してＩＣカード１０をかざすことで、アンテナ７からＩＣカード１０に（電磁誘導による）電力供給を行うと共に、ＩＣカード１０との間でアンテナ７を介したデータ通信（データ信号の送受信）を行うように構成されている。
【００２３】
［作用効果］
次に、このような構成よりなる本実施形態の作用効果について説明する。
【００２４】
本実施形態によれば、本体１のアンテナ７に対してＩＣカードをかざすことでＩＣカードに対するデータの送受信が行われるが、その際、アンテナ７を有する本体１を支持体５に対して回動させることで、ＩＣカードをかざす位置や角度の自由度を高めることができる。
【００２５】
特に、ＩＣカードに対するデータの送受信を行う際、平面状に配置されたアンテナ７に対してＩＣカードを略平行にかざすことが望ましいが、本実施形態によれば、ＩＣカードをかざす角度が略水平から垂直までの範囲で変化しても対応可能である。
【００２６】
従って、本実施形態によれば、非接触式のＩＣカード読取り書込み装置において、ＩＣカード利用者による読取り書込み装置の使いやすさを著しく向上させることができる。具体的には、例えば本装置を高いところに設置する場合には本体１を垂直に近い角度にし、低いところに設置する場合には本体１を水平に近い角度にすれば、ＩＣカードをかざしやすくなる。
【００２７】
なお、本実施形態ではアンテナ７だけでなく表示部３も本体１に従って回動するので、ＩＣカードをかざす際の表示部３の見やすさも確保することができる。
また、ＩＣカードを挿入する方式ではないので、塵埃の侵入等によるメンテナンスの問題も生じない。
［変形例］
上記実施形態において、本体１が水平な回動軸線の回りに約９０度の範囲で回動する場合について説明したが、本体１の回動範囲はこれに限られるものではなく、必要に応じて増減することができる。また、支持体５の腕部５０に関節を設ける等の手段によって、本体１の位置および角度の自由度をさらに高めるようにしてもよい。
【図面の簡単な説明】
【００２８】
【図１】本発明によるＩＣカード読取り書込み装置の一実施形態を示す斜視図。
【図２】図１に示すＩＣカード読取り書込み装置を、本体（アンテナ）が略水平の状態で示す縦断面図。
【図３】図１に示すＩＣカード読取り書込み装置を、本体（アンテナ）が略垂直の状態で示す側面図。
【図４】図１に示すＩＣカード読取り書込み装置における本体と支持体（腕部）との連結部分を、回動軸線を含む断面で示す図。
【図５】図１に示すＩＣカード読取り書込み装置におけるアンテナとＩＣカードとの関係を模式的に示す斜視図。
【符号の説明】
【００２９】
１  本体
２  筐体
２０  連結部
２０ａ  軸部
３  表示部
４  読取り書込み部
５  支持体
５０  腕部
５０ａ  先端
５０ｂ  基端
５５  連結部
５５ａ  軸受部
５２  底板部
７  アンテナ
８  本体側基板
９  支持体側基板
１０  ＩＣカード
Ｌ  接続ライン
Ｗ  導線
【図１】
2006314122.tif 000003
【図２】
2006314122.tif 000004
【図３】
2006314122.tif 000005
【図４】
2006314122.tif 000006
【図５】
2006314122.tif 000007